(57)【要約】      （修正有）【課題】尾錠の枠がなく、連結部分が身体に当接するのを防止するかばん用ベルトを提供する。【解決手段】上ベルト２と下ベルト３からなる長さ調節が可能なランドセルの背負いベルトＢにおいて、下ベルト３は表面側ベルト部と裏面側ベルト部とからなり、この両ベルト部の長手方向の中間に隙間を形成すべく両ベルト部の上部を鋲着１４ａ、１４ｂすると共に下部を鋲着１４ｃしてなっている。この表面側ベルト部には、鋲着１４ａ、１４ｂの頭部に形成されたピン部に係合可能なピン穴を穿設しているベルト通し１５ａ、１５ｂが嵌入されている。上ベルト２は複数個のピン穴４が穿設されており、下ベルト３に連結するとき、ベルト通し１５ａ、１５ｂに挿入して、ピン穴４をベルト通しのピン穴と共に上記ピン部に係合し、上下ベルトを連結する。【選択図】図１
2008054995.tif 000002
【特許請求の範囲】
【請求項１】
ベルトの一方に複数個のピン穴を穿設し、同他方にこのピン穴と係合するピンを立設し、複数個のピン穴のいずれかを選択して、ピンに係合させることにより、ピン穴とピンの係合位置を変えることができるかばんの長さ調節ベルト。
【請求項２】
前記ベルトの他方に、前記ピンに係合可能なベルト通しを設けている請求項１記載のかばんの長さ調節ベルト。
【請求項３】
前記ピンが、前記ピン穴に係合可能なピッチで複数個、立設されている請求項１記載のかばんの長さ調節ベルト。
【請求項４】
前記ベルトが上ベルトと下ベルトからなる背負いかばんの背負いベルトである請求項1記載のかばんの長さ調節ベルト。
【請求項５】
前記下ベルトが表面側ベルト部と裏面側ベルト部からなり、ベルトの捻じれに対して、それぞれのベルト部が個々に変形することを特徴とする請求項４記載のかばんの長さ調節ベルト。
【請求項６】
前記表面側ベルト部と裏面側ベルト部の間に隙間を設けている請求項５記載のかばんの長さ調節ベルト。
【請求項７】
前記表面側ベルト部が凸湾状に形成され、かつ外向きに傾いている請求項６記載のかばんの長さ調節ベルト。
【請求項８】
前記下ベルトが使用者の脇腹に沿うように捻じれた状態に形成されている請求項４記載の背負いかばんの長さ調節背負いベルト。
【発明の詳細な説明】
【技術分野】
【０００１】
本発明は、かばんの長さ調節ベルトに関する。
【背景技術】
【０００２】
背負いかばんの背負いベルトや肩掛けかばんの肩掛けベルトなどは、途中で分離され、長さ調節が可能に連結されるように構成されている。たとえばベルトの一方にはピン付き尾錠が取り付けられ、他方にはそのピンに係合するための複数のピン穴が穿設されている。このような尾錠で連結するベルトでは、尾錠の枠はベルトの両側より突出するので、その枠が身体に当接、また接触するという状態になっている。特に背負いベルトは上胸より脇腹に至るので、脇腹あたりでベルトが捩れる。そのため、上記の枠は身体に強く当接する。また、ベルトは枠とピンによって締め付けられているので、Ｓ字状に曲がって厚くなる。したがって当該部分に捩れが作用したとき、ベルトは捩れ難い。そのため、無理な捩れが強制される。特に背負いベルトは捩れ難くなると、ベルト全体に負荷がかかり、背負い心地が悪くなる。また背負いベルトが身体に密着しにくいという問題もあった。
【発明の開示】
【発明が解決しようとする課題】
【０００３】
本発明は、かばんの長さ調節ベルトにおいて、尾錠の枠がなく、連結部分が身体に強く当接また接触するのを防止して、快適に使用できるかばん用のベルトを提供することを課題とする。また長さ調節ベルトが身体に密着し易いかばんの長さ調節ベルトを提供することを課題とする。
【課題を解決するための手段】
【０００４】
本発明のかばんの長さ調節ベルト（請求項１）は、ベルトの一方に複数個のピン穴を穿設し、同他方にこのピン穴と係合するピンを立設し、複数個のピン穴のいずれかを選択して、ピンに係合させることにより、ピン穴とピンの係合位置を変えることができることを特徴としている。
【０００５】
このようなベルトの他方には、前記ピンに係合可能なベルト通しを設けているのが、好ましい（請求項２）。
【０００６】
また、前記ピンは、前記ピン穴に係合可能なピッチで複数個、立設されているのが好ましい（請求項３）。
【０００７】
前記ベルト（請求項４）は、上ベルトと下ベルトからなる背負いかばんの背負いベルトであるのが好ましい。
【０００８】
このような下ベルトは、表面側ベルト部と裏面側ベルト部からなり、ベルトの捻じれに対して、それぞれのベルト部が個々に変形するのが好ましい（請求項５）。
【０００９】
前記表面側ベルト部と裏面側ベルト部の間には、隙間を設けているのが一層、好ましい（請求項６）。
【００１０】
このような表面側ベルト部は、凸湾状に形成され、かつ外向きに傾いているのが特に、好ましい。（請求項７）。
【００１１】
前記下ベルトは、使用者の脇腹に沿うように捩じれた状態に形成されているものであってもよい（請求項８）。
【発明の効果】
【００１２】
本発明のかばんの長さ調節ベルト（請求項１）は、ベルトの一方に複数個のピン穴が穿設され、同他方にこのピン穴と係合するピンが立設されている。つまりピンはベルトの幅の内側に位置し、かつベルト面に立状態になっている。またピン穴をピンに係合した状態においても、ピンはベルトの幅の内側に位置し、かつ立状態になっている。すなわち従来のピン付き尾錠は、枠がベルトの幅よりも外側に突出しているので、身体に接触、また当接するという危険性があったが、本発明のベルトは従来の枠に相当するものはなく、またピンはベルトの幅の内側に位置し、かつ立状態になっているので、身体に接触、また当接することは防止されている。また従来のような危険性はなく、安全である。さらにピン穴はピンに係合させるだけなので、その係合部は、従来のように枠の締め付けによりＳ字状の肉厚部が形成されることはない。したがって、捩れ力が加わった時、ベルトは軽快に捩れる。
【００１３】
このようなベルトの他方に、前記ピンに係合可能なベルト通しを設けている場合（請求項２）、ベルトの一方は、ベルト通しによって、ピン穴およびその周辺が保護されるので、損傷は防止される。つまりベルトの一方をベルト通しに挿入して、それぞれを一緒にピンに係合したとき、ベルト通しは、ピン穴およびその周辺を覆うので、ピン穴およびその周辺は損傷が防止される。またベルトの長さを調整するために、ピンより脱抜したピン穴は、損傷が防止されているので、好体裁の外観を呈することができる。
【００１４】
前記ピンが、前記ピン穴に係合可能なピッチで複数個、立設されている場合（請求項３）、上記ベルトのピンとピン穴による係合部は、複数個所において得ることができるので、上記ベルト同士の連結状態は一層、確実となる。
【００１５】
前記ベルトが、上ベルトと下ベルトからなる背負いかばんの背負いベルトである場合（請求項４）、背負いベルトは背負い状態において、脇腹の辺りで捩じれるので、ピンとピン穴の係合の方が従来の尾錠よりもスムーズに捩じれる。また身体に密着し易い。
【００１６】
前記下ベルトが表面側ベルト部と裏面側ベルト部からなり、ベルトの捩れに対して、それぞれのベルト部が個々に変形することを特徴とする場合（請求項５）、ベルトの強度を維持しながら捩れ易くなる。下ベルトの表裏が一体になっている場合は、捩れ難い。しかし表面側ベルト部と裏面側ベルト部が個々に変形する場合は、表面側ベルト部と裏面側ベルト部がそれぞれ個別の捩じれ形状を形成可能にしている。したがって下ベルトはベルトの強度を維持しながら捩れ易くなる。
【００１７】
前記表面側ベルト部と裏面側ベルト部の間に隙間を設けている場合（請求項６）、表面側ベルト部と裏面側ベルト部の動きは上記の隙間によって、互いに干渉するのが防止されている。したがって下ベルトの変形、また捩れは、一層、円滑になるので、連結状態の上下ベルトはさらに、身体に密着し易くなる。
【００１８】
前記表面側ベルト部が凸湾状に形成され、かつ外向きに傾いている場合（請求項７）、表面側ベルト部は部分的に捩れているので、全体として一層、捩れ易く、身体に密着し易い。
なお、ここでいう表面側ベルト部が外向きに傾いているとは、下ベルトが身体に密着し易い方向になっている状態をいう。
【００１９】
前記下ベルトが使用者の脇腹に沿うように捩れた状態に形成されている場合（請求項８）、この下ベルトに連結された上ベルトはこの捩れ形状に強制される。したがって連結状態の上下ベルトは、捩れが常態になっているので、身体への密着度は高い。
【発明を実施するための最良の形態】
【００２０】
次に図面を参照しながら、本発明のかばんの長さ調節ベルトの実施形態を説明する。図１は本発明の長さ調節ベルトの一実施形態を示す正面図、図２ａは図１の下ベルトの側面図、図２ｂは同正面図、図２ｃは図２ａの中央横断面図、図３は鋲の説明図、図４は使用状態を示すランドセルの側面図、図５は図４の要部説明図、図６は図５の要部断面図、図７は上下ベルトの連結状態の斜視図、図８はその他の鋲の実施形態を示す側面図、図９はその他の下ベルトの実施形態を示す側面図、図１０はその他の下ベルトの実施形態を示す側面図である。なお、図２は図１の左側の背負いベルトの下ベルトを表している。図９および図１０の下ベルトについても、左側の背負いベルトの下ベルトを表している。これらの右側の下ベルトは左側の下ベルトと対称に表れるので、図示並びに説明を省略している。
【００２１】
図１に示す長さ調節ベルト１は、図４ないし図５に示すランドセルの背負いベルトＢであり、左右一対となっている。この背負いベルトＢは上ベルト２と下ベルト３からなる。上ベルト２は従来の背負いベルトの上ベルトと同じ構造に形成されており、クッション体と、その表面に逢着された天然または人工の皮革の化粧カバーとからなっている。上ベルトの上端には、背当て面の上端に取り付けられた起伏自在の連結環が嵌挿される。また、その下方には円形のピン穴４が長手方向に７〜８個、穿設されている。上ベルト２は張り性を有するが、身体に密着可能な柔軟性を有している。また緩やかに捩じることもできる。また全体的に、肉厚に形成されていて、ピン穴の周りは、厚味方向に僅かながら弾力性を有している。また若干、押し広がることが可能となっている。
【００２２】
下ベルト３は、図２ａないし図２ｃに示すように、一枚地を折り返して形成された表面側ベルト部１０と裏面側ベルト部１１とからなる。しかし、それぞれのベルト部を別々に形成したものであってもよい。下ベルト３の素材としては天然または人工の皮革が好ましい。この生地は捩れ易く、また曲がり易い。また背負いかばんを支持するための強靭性と、形状を保持するための張り性とを有している。
【００２３】
表面側ベルト部１０および裏面側ベルト部１１の形状は、図２ａに示すように両ベルト部の中間に隙間１３が形成されている。この隙間１３は、下ベルト３全体に捻じり力が作用したとき、表裏面側ベルト部１０、１１の内面同士が接触しない程度に離れている。また表面側ベルト部１０は、図２ｂに示すように中間が外側に突出した状態で湾曲していると共に、図２ｃに示すように外側に向かって下がり勾配となっている。つまりランドセルを背負った状態において、表面側ベルト部１０は身体に密着する方向に捩れ易い状態になっている。また裏面側ベルト部１１はこの表面側ベルト部１０の形状を保持するために、図２ａに示すように上方が外向きに捩れた形状となっている。つまり裏面側ベルト部１１も身体に密着し易い方向に捩れ易い状態になっている。
【００２４】
表面側ベルト部１０と裏面側ベルト部１１は、図２ａないし図２ｂに示すように、それぞれの形状を保持するために、上下に形成されたそれぞれの折り返し部Ｔより少し内側に入ったところを重ね合わせて鋲着している。上方の鋲着１４ａ、１４ｂは、図１に示すように、下ベルト３の長手方向に上ベルト２のピン穴４と同じピッチで、２箇所に設けられている。また下方の鋲着１４ｃは、表面側ベルト部１０の下端近辺を下方の折り返し部Ｔで折り返して、裏面側ベルト部１１の下端の上に重ねたところを鋲着している。表面側ベルト部１０の上方の折り返し部Ｔ付近には、鋲着１４ａの鋲に係合可能とする柔軟なベルト通し１５ａが嵌入されている。また、鋲着１４ｂと鋲着１４ｃの間の表面側ベルト部１０上を自由に移動可能とし、かつ鋲着１４ｂの鋲に係合可能とする柔軟なベルト通し１５ｂが嵌入されている。また表面側ベルト部１０の下方には、表面側ベルト部１０を移動可能な一般的なリング状のベルト通し１５ｃが嵌入されているので、上ベルト２の下方をこれに挿入して、下ベルトに定着させてもよい。
【００２５】
図２ａ、図２ｂに示すように、下方の折り返し部Ｔには、ランドセルの底面に設けた基板に取り付けられる、だるま鐶１６の連結環１７が嵌挿される。このだるま鐶１６はランドセルの底襠に取り付けられている基板に回動自在になっている。また連結環１７は起伏可能となっている。前記鋲着１４ｃは下方の折り返し部Ｔがこの連結環１７に密着するように、連結環１７に近接している。
以下に上記ベルト通し１５ａ、１５ｂおよび鋲着１４ａ、１４ｂについて、述べる。ただしベルト通し１５ｂはベルト通し１５ａと同じ構造であり、また鋲１４ｂの鋲は鋲着１４ａの鋲と同じ構造であるので、それぞれの説明は省略する。
【００２６】
ベルト通し１５ａは、図２ａおよび図２ｂに示すように、ベルト通し１５ａの周縁から舌片１８が突出している。その舌片１８はピン穴４の周辺を覆うことが可能な大きさに形成されており、上ベルト２のピン穴４とほぼ同形、同大のピン穴１９が穿設されている。ベルト通し１５ａとベルト通し１５ｂはそれぞれの舌片１８が対向するように、表面側ベルト部１０に嵌入されている。
【００２７】
鋲着１４ａ、１４ｂの鋲は、図３に示すように、いわゆる中空鋲２０をかしめたものである。この中空鋲２０は表裏面側ベルト部１０、１１を貫通する軸部２１と、この軸部２１の先端に一体形成された頭部２２とからなる。頭部２２は表面が偏平な座部２３と、この座部２３に垂直状態で一体形成されたピン部２４とからなる。ピン部２４は円柱形の軸部２５と、この軸部２５の先端に形成された係止部２６とからなっている。軸部２１は表面側ベルト部１０より貫通させて裏面側ベルト部より突き出た部分をかしめてこの両部材に固着される。しかして中空鋲２０によって締結された表面側ベルト部１０と裏面側ベルト部１１の表面側ベルト部１０には、座部２３が圧着し、ピン部２４が垂設される。明らかなように鋲着１４ａ、１４ｂの中空鋲２０は、上ベルト２のピン穴４および前記ベルト通し１５ａ、１５ｂのピン穴１９に係合可能なピン付き鋲である。
【００２８】
係止部２６は、図３に示すように軸部２５の上端から円周方向に膨出し、かつ表面が湾曲面に形成された概略、半球体の形状を呈している。また直径はピン穴４またピン穴１９の直径よりも若干、大き目になっていて、ピン穴４またピン穴１９を矢印方向から圧入させることが可能となっている。また軸部２５の直径は、ピン穴１９、ピン穴４の直径よりも若干、小さ目になっている。また、軸部２５の高さは、ピン穴４およびピン穴１９がピン部２４に係合した状態において、二点鎖線で示すように係止部２６がピン穴１９から完全に外出するように設定されている。またピン穴４およびピン穴１９はピン部２４に摺接可能になっている。好ましくは係止部２６は、上ベルト２と下ベルト３の連結状態において、下ベルト３に捩れ力が作用したとき、捩れに支障がでない程度に、ピン穴４およびピン穴１９に密接するのがよい。しかし、係止部２６および軸部２５とピン穴４およびピン穴１９の間に若干の隙間があってもよい。
【００２９】
しかして図２ａないし図２ｃに示す下ベルト３の前記基本形状は、上記の鋲着１４ａ、１４ｂ、１４ｃによって保持される。したがって下ベルト３に捩じれ力が作用したとき、下ベルト３の表面側と裏面側は捩れ方の状態が異なるが、表面側ベルト部１０と裏面側ベルト部１１は相互にそれぞれの捩れを束縛しないので、固有の捩れができる。また下ベルト３には無理な負担がかからない。また表面側ベルト部１０は湾曲状態で支持されているので、捩れ力の強弱の変化に対して、柔軟に対応することができる。またこの湾曲状態は外向き湾曲しているので、身体に密着する方向の捩れには円滑に対応することができる。
【００３０】
前記の上下ベルト２、３の連結は、図４ないし図５に示すように、上ベルト２をベルト通し１５ａ、１５ｂに挿入して、所望の隣接する２個のピン穴４を選んで、鋲着１４ａ、１４ｂの係止部２６に圧入させると共にピン部２４に係合させる。そしてベルト通し１５ａ、１５ｂのそれぞれのピン穴１９を鋲着１４ａ、１４ｂの係止部２６に圧入させると共にピン部２４に係合させる。
【００３１】
しかして図６に示すように、ベルト通し１５ａ、１５ｂは鋲着１４ａ、１４ｂに近接位置で定着する。したがってこのベルト通しに挿入された上ベルト２は、ピン部２４、２４との係合状態がより一層、確実になる。また上ベルト２のピン穴４およびその周辺は舌片１８に覆われているので、係止部２６に直接、接触しない。したがって上ベルト２には係止部２６の跡形はつかない。また長さ調整後の上ベルトには、もとのピン穴４およびその周辺に跡形がつかないので、美しさが保持される。また上下ベルト２、３が相対方向に引っ張られても、ベルト通し１５ａ、１５ｂは舌片１８がピン部２４、２４に係合しているだけなので、いずれの方向にも強く引っ張られることはない。つまりピン穴１９はピン部２４に安定した状態で係止している。したがって万一、上ベルト２のピン穴４が変形しても、舌片１８に覆われているので、ピン部２４より簡単に抜け出ることはない。
【００３２】
前述のとおり、ピン部２４に連結された上ベルト２は、図７に示すように、下ベルト３の表面側ベルト部１０の表面に沿って連結されるので、非常になだらかな面を形成する。また従来のピン付き枠とベルトのピン穴の係合によるＳ字状の形成はないので、係合部は肉厚にならない。したがって上ベルト２は表面側ベルト部１０と共に捩れ易くなる。一方、表面側ベルト部１０は上ベルト２が重なるので、分厚くなるが、ピン穴４およびピン穴１９はピン部２４に摺接可能になっており、また上下ベルト２、３の当接同士も摺接可能になっているので、上ベルト２は表面側ベルト部１０の捩れとは異なる捩れが僅かながらも許容されている。したがって、下ベルト３に身体に密着する方向の捩れ力が加わった時、上ベルト２と表面側ベルト部１０は個々に捩れる。なお、上ベルト２の下方がベルト通し１５ｂより長く突き出る場合は、ベルト通し１５ｃに挿入することによって、表面側ベルト部１０に一層、密着するので、上ベルトの捩れは一層、円滑になる。
【００３３】
明らかなように、この実施形態における上ベルト２と下ベルト３は２箇所でピンポイント係合して連結されている。図４に示すように、上下ベルト２、３をランドセルＲの背負いベルトＢに形成したものを身体に装着したとき、上下ベルト２、３の連結部およびその周辺は脇腹Ｗの辺りに位置する。脇腹Ｗ辺りに位置する連結部周辺のベルト部分は、身体に密着する方向に捩れ力が加わる。背負いベルトＢはランドセルの揺動に伴って、捩れ力、また捩れ方向が微妙に変化するが、上下ベルトはピンポイント係合しているので、両ベルトの係合部は拘束されていないし、また柔軟であるから、スムーズに捩れて、背負いベルトによる身体への負担は少ない。
【００３４】
また表面側ベルト部１０および裏面側ベルト部１１の捩れの動きは相互に拘束しない。したがってランドセルの揺動に伴う微妙な捩れの変化は両ベルト部が軽快、かつ柔軟に対応するので、背負いベルトＢは身体に密着した状態を保持することができる。また、ランドセルＲを安定した状態で背負うことができる。
【００３５】
また従来のランドセルのベルトのピン穴とピンの係合部分は尾錠枠に押さえつけられて、Ｓ字状に曲がり、また肉厚になるので、ベルトは損傷し易く、また捩れ難くかったが、この実施形態のピンポイント係合は、その係合部分が肉厚にならないので、ベルトは捩れ易い。またピンポイント係合の周辺は尾錠の枠に押さえつけられないので、損傷が防止される。また、上ベルトの長さは、従来のようにＳ字状に曲がる長さを見込んで、実質的な長さよりも長めにしておく必要はないので、経済的である。さらに２箇所でピンポイント係合しているので、ランドセルの背負い時における係合部への負荷は一点に集中しないので、分散される。したがってピンポイント係合部のピン穴は損傷にしくい。
【００３６】
また図４ないし図５に示すように、ランドセルＲの背負い状態における裏面側ベルト部１１は、ランドセルＲの背当て面Ｌの下縁に強く当接するが、表面側ベルト部１０は裏面側ベルト部１１とは別に変形できるので、このような状況であっても、捩れ力が加わった時には軽快に捩れる。一方、裏面側ベルト部１１はランドセルＲを直接、支持しながら捩れを許容しているので、ランドセルＲの背負い状態は安定する。すなわち、下ベルト３はランドセルＲに強く当接する裏面側ベルト部１１と、当接しない表面側ベルト部１０によって、ランドセルを安定させることと、背負いベルトＢを身体に密着させることを同時に奏成する。
【００３７】
図８はそのほかの鋲の実施形態を示す断面図である。この鋲は、押え部材５０と、これに螺合する締め付け部材５１とによってなる着脱可能なものでもよい。この押え部材５０は座部５２と、この座部５２に垂直状態で一体形成されたピン部５３とからなっている。ピン部５３は円筒形の軸部５４と、この軸部の先端に設けられた係止部５５とからなる。軸部５４の内周面には雌螺子が刻設されている。締め付け部材５１は座部５６と、この座部５６に垂直状態で一体形成された軸部５７とからなる。この軸部５７には前記押え部材５０の雌螺子に螺合するための雄螺子が周設されている。
【００３８】
前記ピン部５３は、押え部材５０に締め付け部材５１を締め付けることによって表面側ベルト部１０の表面に圧着されるので、下ベルト３に強力に一体化する。しかしてピン部５３は上下方向、また左右方向のいずれに引っ張られても、下ベルト３から外れない。またピン穴４は一旦、ピン部５３に圧入して係合すると、係止部５５に係止するので、簡単には外れない。
その他の鋲としては、前記実施形態の中空鋲に変えてランス鋲を使用してもよい。その場合、ランス鋲は軸部と頭部からなるが、頭部については前記中空鋲の頭部と同じ構造になっている。また鋲着は頭部の座部を表面側ベルト部に当接させて軸部を貫通させ、その裏面側ベルト部より突き出た部分をかしめる。
【００３９】
図９および図１０は、下ベルトのその他の実施形態を示す側面図である。いずれの下ベルトについても、前記実施形態と同じ素材を用いて、表面側ベルト部と裏面側ベルト部を形成している。
図９の下ベルト３０の表面側ベルト部３１は、外側に向かって緩やかな湾曲面を形成し、また裏面側ベルト部３２は水平面を形成している。つまり全体的には表面側ベルト部３１の面は弓の弓柄のように形成され、また裏面側ベルト部３２の面は弦のように形成されている。明らかなように、この表裏面側ベルト部３１、３２の間には隙間３３が形成されている。
【００４０】
この形態は、前記実施形態と同じ要領で、上方の折り返し部Ｔより少し内側を鋲着３４ａ、３４ｂし、また下方の折り返し部Ｔより内側を鋲着３４ｃして保持される。これらの鋲着の鋲の形態は、図３に示す前記実施形態と同じで、ピン付き鋲である。また図２に示すピン穴付きの舌片を一体形成しているベルト通し３５ａ、３５ｂが同じ要領で表面側ベルト部３１に嵌入されている。また下方の折り返し部Ｔ付近にはごく普通のベルト通し３５ｃが嵌入されている。
【００４１】
しかしてこの下ベルト３０の鋲着３４ａ、３４ｂには、図１に示す上ベルト２とベルト通し３５ａ、３５ｂのそれぞれのピン穴を図６に示す要領で係合させて背負いベルトを形成する。ランドセルを背負った時、表裏面側ベルト部３１、３２は相互に別々の捩れができるので、背負いベルトは身体に密着する方向に軽快に捩れて、身体に密着し易くなる。
【００４２】
また図１０の下ベルト４０は表面側ベルト部４１と裏面側ベルト部４２が重なった状態になっている。この形状は前記鋲着と同じように、上方の鋲着４４ａ、４４ｂと下方の鋲着４４ｃによって保持される。また鋲着４４ａ、４４ｂの鋲の構造は、図９での説明と同じように図６に示すの形態のものを使用している。またベルト通し４５ｃは、図９と同じく、普通のベルト通しを使用している。鋲着４４ｂと鋲着４４ｃの間の表裏面側ベルト部４１、４２は、前記実施形態のように明白な隙間はないが、面同士は密着、また同体化していない。したがって下ベルトに捩れ力が作用したとき、両方のベルト部の当接面は摺接可能となっているので、面同士は摩擦しながら、捩じれる。また従来の背負いベルトのように無理な捩れは生じないので、身体への負担は軽い。
【００４３】
上記図８また図９に示す下ベルトは、ランドセルの背負いベルトの下ベルトとして使用する他、肩掛けバッグの肩掛けベルトとしても使用できる。この場合、前記実施形態の上下ベルトは、バッグの左右の側襠に取り付ける左右ベルトとして使用される。
また下ベルトが表裏面に分離していなくても、身体に密着する方向に捩れ形成された一体物でもよい。
【００４４】
全実施形態において、ベルト通しのピン穴ないし上ベルトのピン穴はピン部から簡単に外すことができるので、迅速に別のピン穴をピン部に装着することができる。従来のピン付き尾錠のように、ピンを起立させてピン穴を着脱する面倒はなく、またベルト表面が枠によって損傷することもない。またベルトが捩じれて、ベルトの側縁が身体に当接または接触したとき、従来のピン付き尾錠は枠が身体に当たるので、危険であったが、ピン部はベルトの幅の内側にあるので、身体に接触また当接することは防止されている。
【００４５】
なお、全実施形態におけるピン付き鋲とピン穴の係合は1か所だけにしてもよい。この場合、さらにベルトは軽快な捩れとなる。しかし全実施形態のように二箇所において係合するのがより一層、確実である。ベルト通しは表面側ベルト部に複数個設けてもよいし、なくてもよい。またベルト通しはピン部に係合可能なものが好ましいが、ピン部に係合しない普通のベルト通しであってもよい。この場合、軸部の高さは上ベルトの肉厚分とする。またベルト通しは図示の数に限るものではない。
【図面の簡単な説明】
【００４６】
【図１】図１は本発明の長さ調節ベルトの一実施形態を示す正面図である。
【図２】図２ａは図１の下ベルトの側面図、図２ｂは同正面図、図２ｃは図２ａの中央横断面図である。
【図３】図３は鋲の説明図である。
【図４】図４は使用状態を示すランドセルの側面図である。
【図５】図５は図４の要部説明図である。
【図６】図６は図５の要部断面図である。
【図７】図７は上下ベルトの連結状態の斜視図である。
【図８】図８はその他の鋲の実施形態を示す側面図である。
【図９】図９はその他の下ベルトの実施形態を示す側面図である。
【図１０】図１０はその他の下ベルトの実施形態を示す側面図である。
【符号の説明】
【００４７】
１  長さ調節ベルト
２  上ベルト
３  下ベルト
４  ピン穴
１０  表面側ベルト部
１１  裏面側ベルト部
１３  隙間
１４ａ  鋲着
１４ｂ  鋲着
１４ｃ  鋲着
１５ａ  ベルト通し
１５ｂ  ベルト通し
１５ｃ  ベルト通し
１６  だるま環
１７  連結環
１８  舌片
１９  ピン穴
２０  中空鋲
２１  軸部
２２  頭部
２３  座部
２４  ピン部
２５  軸部
２６  係止部
３０  下ベルト
３１  表面側ベルト部
３２  裏面側ベルト部
３３  隙間
３４ａ  鋲着
３４ｂ  鋲着
３４ｃ  鋲着
３５ａ  ベルト通し
３５ｂ  ベルト通し
３５ｃ  ベルト通し
４０  下ベルト
４１  表面側ベルト部
４２  裏面側ベルト部
４４ａ  鋲着
４４ｂ  鋲着
４４ｃ  鋲着
４５ａ  ベルト通し
４５ｂ  ベルト通し
４５ｃ  ベルト通し
５０  押え部材
５１  締め付け部材
５２  座部
５３  ピン部
５４  軸部
５５  係止部
５６  座部
５７  軸部
Ｂ  背負いベルト
Ｔ  折り返し部
Ｒ  ランドセル
Ｗ  脇腹
Ｌ  背当て面
【図１】
2008054995.tif 000003
【図２】
2008054995.tif 000004
【図３】
2008054995.tif 000005
【図４】
2008054995.tif 000006
【図５】
2008054995.tif 000007
【図６】
2008054995.tif 000008
【図７】
2008054995.tif 000009
【図８】
2008054995.tif 000010
【図９】
2008054995.tif 000011
【図１０】
2008054995.tif 000012